(57)【要約】  【課題】光源ユニット12の保持力を確保しかつ一定にできる照明装置11を提供する。  【解決手段】光源ユニット本体22の球面部24をホルダ13とリテーナ14とで挟み込み、ホルダ13とリテーナ14とを連結具15で連結する。光源ユニット本体22の球面部24とホルダ13およびリテーナ14との摩擦抵抗が増加し、光源ユニット12の十分な保持力を確保する。連結具15の弾性部55でホルダ13とリテーナ14とで光源ユニット本体22を挟み込む方向に付勢し、光源ユニット12の保持力を一定にする。  【選択図】図１
2006156238.tif 000002
【特許請求の範囲】
【請求項１】
光源、および光源を内蔵する光源ユニット本体を有し、光源ユニット本体の外面に球面部を設けるとともに球面部の一部に光源の光を外部へ光を照射する照射口部を設けた光源ユニットと；
光源ユニット本体の照射口部側から球面部に係合する第１の保持具と；
光源ユニット本体の照射口部に対して反対側から球面部に係合して第１の保持具との間に光源ユニット本体を挟み込む第２の保持具と；
第１の保持具に係合する第１の係合部、第２の保持具に係合する第２の係合部、第１の保持具と第２の保持具とで光源ユニット本体を挟み込む方向に付勢する弾性部を有し、光源ユニット本体を挟み込んだ第１の保持具と第２の保持具とを連結する連結具と；
を具備していることを特徴とする照明装置。
【請求項２】
第１の保持具および第２の保持具は、リング状に設けて同軸に配置したことを特徴とする請求項１記載の照明装置。
【請求項３】
光源ユニット本体の照射口部に対して反対側に放熱体を設けたことを特徴とする請求項１または２記載の照明装置。
【発明の詳細な説明】
【技術分野】
【０００１】
本発明は、照射方向を調整可能な照明装置に関する。
【背景技術】
【０００２】
従来、照射方向を調整可能な照明装置としては、天井などに取り付ける取付部と光源を内蔵した光源ユニットとの間にヒンジを介在し、このヒンジを介して光源ユニットの向きを変えることにより、光源ユニットから照射する光源の光の照射方向を調整可能としたスポットライトが知られている。しかし、このスポットライトでは、ヒンジで回動可能とする範囲に照射方向の調整が限られてしまう（例えば、特許文献１参照。）。
【０００３】
また、光源に発光ダイオードを用いて、任意に照射方向を調整可能とした小形のダウンライトがある。このダウンライトでは、光源を内蔵する光源ユニットを球形に形成し、この光源ユニットの一部に内蔵する光源の光を外部へ照射する照射口部を設けており、この光源ユニットを照射口部側からリング状のホルダに係合し、光源ユニットの照射口部に対して反対側に板ばねを押し当ててホルダとの間に光源ユニットを保持している。光源ユニットの照射口部の向きを可変操作することにより、光源ユニットをホルダおよび板ばねとの接触抵抗に抗しながら摺動させて照射方向を調整している。
【特許文献１】特開２００２−３０４９０４号公報（第１０頁、図３４−３５）
【発明の開示】
【発明が解決しようとする課題】
【０００４】
しかしながら、光源に発光ダイオードを用いて、任意に照射方向を調整可能とした小形のダウンライトでは、光源ユニットの照射口部に対して反対側の１点のみに板ばねが接触してホルダに押し付けているだけで摩擦抵抗が低いため、光源ユニットを保持するのに十分な保持力が得られず、光源ユニットが動き回って照射方向がずれやすい問題がある。例えば、このダウンライトを車両の読書灯などに使用した場合、車両の振動で光源ユニットが動き回って照射方向がずれやすい。また、板ばねによる押圧力を強くしても、摩擦抵抗があまり高くならないばかりか、板ばねの押圧力に抗して組み立てる際の組立性が低下してしまい、構造的にも強固にしなければならなくなる。
【０００５】
本発明は、このような点に鑑みなされたもので、光源ユニットの十分な保持力を確保できて光源ユニットを確実に保持でき、しかもその保持力を一定にできて操作性を安定させることができる照明装置を提供することを目的とする。
【課題を解決するための手段】
【０００６】
請求項１記載の照明装置は、光源、および光源を内蔵する光源ユニット本体を有し、光源ユニット本体の外面に球面部を設けるとともに球面部の一部に光源の光を外部へ光を照射する照射口部を設けた光源ユニットと；光源ユニット本体の照射口部側から球面部に係合する第１の保持具と；光源ユニット本体の照射口部に対して反対側から球面部に係合して第１の保持具との間に光源ユニット本体を挟み込む第２の保持具と；第１の保持具に係合する第１の係合部、第２の保持具に係合する第２の係合部、第１の保持具と第２の保持具とで光源ユニット本体を挟み込む方向に付勢する弾性部を有し、光源ユニット本体を挟み込んだ第１の保持具と第２の保持具とを連結する連結具とを具備しているものであり、光源ユニット本体の球面部と第１の保持具および第２の保持具との摩擦抵抗を増加させ、光源ユニットの十分な保持力を確保するとともに保持力を一定にする。
【０００７】
請求項２記載の照明装置は、請求項１記載の照明装置において、第１の保持具および第２の保持具は、リング状に設けて同軸に配置したものであり、光源ユニット本体の球面部の周方向にバランスよく保持力を付与する。
【０００８】
請求項３記載の照明装置は、請求項１または２記載の照明装置において、光源ユニット本体の照射口部に対して反対側に放熱体を設けたものであり、放熱体で光源から光源ユニット本体に伝わる熱を放熱する。なお、放熱体は、光源ユニット本体と一体に設けてもよいし、放熱性の高い材料で別体に形成して取り付けてもよい。
【発明の効果】
【０００９】
請求項１記載の照明装置によれば、光源ユニット本体の球面部を第１の保持具と第２の保持具とで挟み込み、この光源ユニット本体を挟み込んだ第１の保持具と第２の保持具とを連結具で連結することにより、光源ユニット本体の球面部と第１の保持具および第２の保持具との摩擦抵抗が増加し、光源ユニットの十分な保持力を確保できて光源ユニットを確実に保持でき、しかも、連結具の弾性部で第１の保持具と第２の保持具とで光源ユニット本体を挟み込む方向に付勢することにより、光源ユニットの保持力を一定にできて操作性を安定させることができる。
【００１０】
請求項２記載の照明装置によれば、請求項１記載の照明装置の効果に加えて、第１の保持具および第２の保持具は、リング状に設けて同軸に配置したことにより、光源ユニット本体の球面部の周方向にバランスよく保持力を付与でき、光源ユニットの軸ずれを防止できるとともに、光源ユニットの操作性を安定させることができる。
【００１１】
請求項３記載の照明装置によれば、請求項１または２記載の照明装置の効果に加えて、光源ユニット本体の照射口部に対して反対側に放熱体を設けたことにより、光源ユニット本体を小形化しても、光源から光源ユニット本体に伝わる熱の放熱性を向上できる。
【発明を実施するための最良の形態】
【００１２】
以下、本発明の一実施の形態を図面を参照して説明する。
【００１３】
図１は照明装置の断面図、図２は照明装置の一部の拡大断面図、図３は照明装置の平面図、図４は照明装置の正面図、図５は照明装置の背面図である。
【００１４】
照明装置11は、例えば車両の読書灯などに使用される小形で照射方向を可変調整可能としたもので、光源ユニット12、この光源ユニット12を保持する第１の保持具としてのホルダ13および第２の保持具としてのリテーナ14、これらホルダ13およびリテーナ14を連結する連結具15を備えている。
【００１５】
光源ユニット12は、光源として固定発光素子である発光ダイオード21、この発光ダイオード21を内蔵する光源ユニット本体22を備えている。
【００１６】
発光ダイオード21は、照明用として白色が用いられるが、青色を用いてこの青色の光を蛍光体で照明用の可視光に変換してもよい。発光ダイオード21は基板23に実装されて光源ユニット本体22に支持されている。
【００１７】
光源ユニット本体22は、外形が球形に形成された球面部24を備え、この球面部24の一端側である前面側には内蔵した発光ダイオード21の光を外部へ照射する照射口部25が突出形成され、この照射口部25に対して反対側である後面側には発光ダイオード21から光源ユニット本体22に伝わる熱を放熱する放熱体26を備えている。
【００１８】
光源ユニット本体22は、球面部24の中間部分で照射口部25側と放熱体26側とに二分割された二分割部品22a，22bを組み合わせて構成されている。これら二分割部品22a，22bの合せ目は、図示していないが、ホルダ13やリテーナ14と接触しないように、ホルダ13とリテーナ14との間に位置するのが好ましい。これら二分割部品22a，22bは、発光ダイオード21などを収容した後に組み合わせ、放熱体26側から装着する複数のねじ27で締め付けて一体化されている。二分割部品22a，22bは、例えば金属製または樹脂製のいずれか、あるいは金属製と樹脂製との組み合わせで構成されており、放熱体26を有する二分割部品22bには例えばアルミニウムなどの放熱性の高い材料を用いることが好ましい。
【００１９】
照射口部25は、筒状で内側が開口され、その内側には、発光ダイオード21が対向配置されているとともに、発光ダイオード21からの光を照射方向に反射させる反射体や配光を制御するレンズなどの制光体28が配置されている。
【００２０】
放熱体26は、放熱面積を増加させるために複数の縦方向のフィンを有する形状に形成されている。この放熱体26の中心部からは、発光ダイオード21に接続されて電源を供給するケーブル29が外部に引き出されている。
【００２１】
また、ホルダ13は、例えば金属製または樹脂製でリング状に形成されており、光源ユニット本体22の照射口部25側から球面部24の周面に係合されている。
【００２２】
ホルダ13の内周面には、リテーナ14の方向に拡開する円錐状で球面部24の周面に線接触または複数点で点接触する接触面31が形成され、リテーナ14に対して反対側である前端部に照射口部25との当接にて照射口部25の可動範囲を規制する開口縁部32が形成されている。
【００２３】
ホルダ13の外周面のリテーナ14側である後寄り位置にはフランジ部33が形成され、このフランジ部33には連結具15が係合する複数の連結溝34が周方向に等間隔な位置であって例えば３箇所に形成され、これら連結溝34内には連結具15が連結される係止部35が形成されている。係止部35のリテーナ14に対して反対側の面はホルダ13の外周面に垂直な係止面35aに形成され、係止部35のリテーナ14側の面は係止部35の先端に向かって傾斜する導入面35bに形成されている。また、フランジ部33の外周部には、複数の溝部36が形成されている。
【００２４】
また、リテーナ14は、例えば金属製または樹脂製でリング状に形成されており、光源ユニット本体22の放熱体26側から球面部24の周面に係合されている。
【００２５】
リテーナ14の内周面には、ホルダ13の方向に拡開する円錐状で球面部24の周面に線接触または複数点で点接触する接触面41が形成され、内周面の１箇所には位置決め溝42が切欠形成されている。
【００２６】
リテーナ14のホルダ13に対して反対側の面つまり後面には、連結具15が係合する複数の係合面43とこれら係合面43より窪む複数の逃げ部44とが交互に形成されており、各逃げ部44はホルダ13の各連結溝34の位置に対応した位置に形成されている。
【００２７】
また、連結具15は、例えばばね鋼などの弾性を有する材料で形成され、リテーナ14の係合面43に係合するリング状の基部51、ホルダ13の各連結溝34を通じて各係止部35に係合する複数の第１の係合部としてのアーム部52を有し、光源ユニット本体22を挟み込んだホルダ13とリテーナ14とを連結する。
【００２８】
基部51の内周縁の１箇所には、リテーナ14の位置決め溝42に嵌まり込んで周方向の位置を位置決めする位置決め部53が基部51からリテーナ14の方向に向けて略Ｌ字形に折曲形成されている。位置決め部53を介してリテーナ14と周方向の位置を位置決めした状態で、各アーム部52がリテーナ14の各逃げ部44の中間に位置しており、リテーナ14の各係合面43に係合する基部51の各位置は第２の係合部としての係合部54として構成され、各アーム部52が連結されていてリテーナ14の各逃げ部44に対向する基部51の各位置は弾性部55として構成されている。この弾性部55は、連結具15でホルダ13とリテーナ14とを連結した状態で、リテーナ14の各逃げ部44に入り込むように弾性変形し、ホルダ13とリテーナ14とで光源ユニット本体22を挟み込む方向に付勢する。
【００２９】
各アーム部52は、基部51の外周縁からホルダ13の方向へ向けて略直角に折曲形成され、先端には連結溝34に嵌まり込んで係止部35の係止面35aに引っ掛かって係止する爪部56が略Ｌ字形に折曲形成されている。
【００３０】
そして、照明装置11を組み立てる場合には、光源ユニット本体22の照射口部25側から球面部24にホルダ13を係合させ、放熱体26側から球面部24にリテーナ14を係合させるとともに、このリテーナ14に位置決め部53を介して周方向位置を位置決めした連結具15の各アーム部52をホルダ13の各連結溝34に嵌め込み、連結具15の弾性部55を弾性変形させながら各アーム部52の先端の爪部56をホルダ13の各係止部35の係止面35aに係止させる。
【００３１】
照明装置11の組立状態では、光源ユニット本体22の球面部24をホルダ13とリテーナ14とで挟み込み、この光源ユニット本体22を挟み込んだホルダ13とリテーナ14とを連結具15で連結していることにより、光源ユニット本体22の球面部24とホルダ13およびリテーナ14との摩擦抵抗が増加し、光源ユニット12の十分な保持力を確保でき、しかも、連結具15の弾性部55でホルダ13とリテーナ14とで光源ユニット本体22を挟み込む方向に付勢していることにより、光源ユニット12の保持力を一定にできる。そのため、例えば照明装置11を車両に適用した場合でも、その車両の振動などで光源ユニット12が動いて照射方向がずれるのを防止でき、また、照射口部25の向きを変えて照射方向を可変調整するために、光源ユニット本体22をホルダ13およびリテーナ14に対して回動させるときの操作性を安定させることができる。
【００３２】
また、ホルダ13、リテーナ14および連結具15は、リング状に設けて同軸に配置したことにより、光源ユニット本体22の球面部24の周方向にバランスよく保持力を付与でき、光源ユニット12の軸ずれを防止できるとともに、光源ユニット12の操作性を安定させることができる。
【００３３】
また、リテーナ14および連結具15をリング状に設けているため、光源ユニット本体22の照射口部25に対して反対側に放熱体26を設けることができ、この放熱体26により、光源ユニット本体22を小形化しても、発光ダイオード21から光源ユニット本体22に伝わる熱の放熱性を向上できる。または、放熱性を向上させることにより、発光ダイオード21に対する投入電力を増加させることができ、明るさを向上できる。
【００３４】
また、リテーナ14の位置決め溝42と連結具15の位置決め部53との係合により、光源ユニット本体22の操作時にリテーナ14が回動するのを規制し、光源ユニット本体22の操作性を安定させることができる。
【００３５】
なお、光源としては、発光ダイオード21に限らず、ランプを用いてもよい。
【図面の簡単な説明】
【００３６】
【図１】本発明の一実施の形態を示す照明装置の断面図である。
【図２】同上照明装置の一部の拡大断面図である。
【図３】同上照明装置の平面図である。
【図４】同上照明装置の正面図である。
【図５】同上照明装置の背面図である。
【符号の説明】
【００３７】
11    照明装置
12    光源ユニット
13    第１の保持具としてのホルダ
14    第２の保持具としてのリテーナ
15    連結具
21    光源としての発光ダイオード
22    光源ユニット本体
24    球面部
25    照射口部
26    放熱体
52    第１の係合部としてのアーム部
54    第２の係合部としての係合部
55    弾性部
【図１】
2006156238.tif 000003
【図２】
2006156238.tif 000004
【図３】
2006156238.tif 000005
【図４】
2006156238.tif 000006
【図５】
2006156238.tif 000007